(57)【要約】      （修正有）【課題】携帯に便利で、長時間使用しても疲れにくい紫外線硬化装置の支持構造を提供する。【解決手段】紫外線硬化装置の支持構造は、ボタン１４が突設される本体１と、本体１内部に設置される基板２と、支持スタンド３を含む。本体１は、電力供給ユニット、枢着台１３３及び光源均一化構造をさらに含む。基板２には、ボタン１４と接続されるスイッチ２１と、ボタン１４を押すと、スイッチ２１によって起動する紫外線ＬＥＤと、が設置される。支持スタンド３は、枢設台１３３の位置規制により、第１の位置から第２の位置まで回転させることができる。支持スタンド３を第２の位置まで回転させると、本体１を地面から約４５度の角度で傾斜支持することができる。これにより、本体１と支持スタンド３との間の空間を利用し、紫外線ＬＥＤにより、手や足の爪上の紫外線硬化性樹脂を硬化させることができる。【選択図】図１
0003180139.tif 000002
【実用新案登録請求の範囲】
【請求項１】
本体と、ケーシングとベースとの間に設置される基板と、支持スタンドと、を備える紫外線硬化装置の支持構造であって、
前記本体は、ボタンと、ケーシング孔が設けられるケーシングと、上孔が設けられる上蓋と、底孔が設けられるベースと、から構成され、前記ボタンは、前記ケーシング孔を通過して前記上孔に貫設され、前記ケーシングは、電力供給ユニットをさらに有し、前記ベースには、枢着台が設置される上、光源均一化構造を有し、前記ケーシングと前記上蓋と前記ベースとは結合され、
前記基板は、第１面及び第２面を有し、前記基板には、基板孔と、前記ボタンと接続されるスイッチと、紫外線ＬＥＤと、が設置され、前記スイッチは、前記第１面に設置される上、前記基板と電気的に接続され、前記紫外線ＬＥＤは、前記第２面に設置される上、前記基板と電気的に接続され、前記基板は、前記電力供給ユニットと電気的に接続され、
前記支持スタンドには、前記枢着台に枢着される枢着端が設けられ、前記支持スタンドは、前記枢着台の位置規制により、第１の位置から第２の位置まで回転することを特徴とする紫外線硬化装置の支持構造。
【請求項２】
前記本体は、前記基板孔を通過し、前記底孔に貫設される磁石を有し、前記支持スタンドは、第１の位置の際、前記磁石に吸引されることを特徴とする請求項１に記載の紫外線硬化装置の支持構造。
【請求項３】
前記ケーシングは、空間をさらに有し、前記電力供給ユニットは、少なくとも１つの電池及び少なくとも２つの金属板を有し、前記少なくとも１つの電池及び前記少なくとも２つの金属板は、前記空間に設置されることを特徴とする請求項１に記載の紫外線硬化装置の支持構造。
【請求項４】
前記電力供給ユニットは、電力供給装置を有し、前記電力供給装置は、前記基板の第１面に設置される上、前記基板と電気的に接続され、前記少なくとも１つの電池は、充電電池であって、前記電力供給装置は、前記少なくとも１つの電池に充電を行い、前記本体には、電力供給孔が設けられ、前記電力供給装置は、前記電力供給孔に貫設されることを特徴とする請求項１又は３に記載の紫外線硬化装置の支持構造。
【請求項５】
前記電力供給装置は、ＵＳＢであることを特徴とする請求項４に記載の紫外線硬化装置の支持構造。
【請求項６】
前記光源均一化構造は、複数の孔から構成されることを特徴とする請求項１に記載の紫外線硬化装置の支持構造。
【請求項７】
前記複数の孔は、矩形であることを特徴とする請求項６に記載の紫外線硬化装置の支持構造。
【請求項８】
前記紫外線ＬＥＤは、３６０ｎｍ〜４１０ｎｍの短波長の光波を照射することを特徴とする請求項１に記載の紫外線硬化装置の支持構造。
【考案の詳細な説明】
【技術分野】
【０００１】
本考案は、紫外線硬化装置に関し、特に、紫外線硬化装置を地面から約４５度の角度で傾斜支持する構造に関する。
【背景技術】
【０００２】
ネイルアートにおいては、紫外線硬化性樹脂が塗布された手や足の爪に、紫外線ＬＥＤから紫外線光を照射することにより、爪上に保護膜を形成する技術が頻繁に使用されている。市場においては、複数の紫外線ＬＥＤが装着された装置が見られるが、大型の装置の場合、構造が複雑である上、携帯しにくい。一方、小型の装置の場合、携帯には便利であるが、手で装置を持って硬化させたい部分に紫外線光を照射しなければならないため、照射時間が長くなると手が疲れる。
【先行技術文献】
【特許文献】
【０００３】
【特許文献１】特開２００１−１５０４６０号公報
【考案の概要】
【考案が解決しようとする課題】
【０００４】
本考案の目的は、携帯に便利な上、長時間持ち続けることによって手が疲れるという従来技術における問題を解決することができる紫外線硬化装置の支持構造を提供することにある。
【課題を解決するための手段】
【０００５】
上述の課題を解決するために、本考案は、紫外線硬化装置の支持構造を提供するものである。本考案の紫外線硬化装置の支持構造は、本体と、ケーシングとベースとの間に設置される基板と、支持スタンドと、を含む。
【０００６】
本体は、ボタンと、ケーシング孔が設けられるケーシングと、上孔が設けられる上蓋と、底孔が設けられるベースと、から構成される。ボタンは、ケーシング孔を通過して上孔に貫設される。ケーシングは、電力供給ユニットをさらに含む。ベースには、枢着台が設けられる上、光源均一化構造を含む。ケーシングと上蓋とベースとは結合される。
【０００７】
基板は、第１面及び第２面を含む。基板には、基板孔と、ボタンと接続されるスイッチと、紫外線ＬＥＤ（ＵＶ  ＬＥＤ）が設置される。スイッチは、第１面に設置される上、基板と電気的に接続される。紫外線ＬＥＤは、第２面に設置される上、基板と電気的に接続される。基板は、電力供給ユニットと電気的に接続される。
【０００８】
支持スタンドには、枢着台に枢着される枢着端が設けられる。支持スタンドは、枢着台の位置規制により、第１の位置から第２の位置まで回転する
【０００９】
本体は、磁石を選択的に含む。磁石が基板孔を通過して底孔に貫設されることにより、支持スタンドは、第１の位置の際、磁石に吸引される。
【００１０】
ケーシングは、空間をさらに含む。電力供給ユニットは、少なくとも１つの電池及び少なくとも２つの金属板を含む。少なくとも１つの電池及び少なくとも２つの金属板は、空間に設置される。
【００１１】
光源均一化構造は、複数の孔から構成される。複数の孔は、貫通孔であり、矩形のみに限定されない。
【００１２】
基板の第１面には、基板と電気的に接続される電力供給装置が設置される。また、本体には、電力供給孔がさらに設けられる。電力供給装置は、電力供給孔に貫設される。電力供給装置は、ＵＳＢ（これのみに限定されない）でもよく、基板に電力を供給する。
【００１３】
紫外線ＬＥＤは、３６０ｎｍ〜４１０ｎｍの短波長の光波を照射する。
【考案の効果】
【００１４】
本考案は、略コ形の支持スタンドにより、紫外線硬化装置を傾斜支持する上、空間を提供して紫外線硬化性樹脂が塗布された手や足の爪に、紫外線ＬＥＤから紫外線光を照射するものである。支持スタンドには、本体の枢着台に枢着される枢着部が設けられる。支持スタンドは、枢着台の位置規制により、第１の位置から第２の位置まで回転させることができる。支持スタンドを第２の位置まで回転させると、紫外線硬化装置を傾斜支持することができる。支持スタンドがコ形であるため、紫外線硬化性樹脂が塗布された手や足の指を支持スタンドに通過させ、本体上の紫外線ＬＥＤから紫外線光を照射することができる。
本考案は、支持スタンドに磁石を組み合わせることにより、利便性を高めることができる。即ち、支持スタンドを磁石に吸引される材料から製造し、本体に磁石を設置する。これにより、支持スタンドが第１の位置の際、磁石が支持スタンドを吸引することにより、支持スタンドが揺動するのを防止することができる。また、僅かな力を加えることにより、支持スタンドを第１の位置から離脱させることができるため、便利に使用することができる。
【図面の簡単な説明】
【００１５】
【図１】本考案の一実施形態による紫外線硬化装置の支持構造を示す分解斜視図である。
【図２】本考案の一実施形態による紫外線硬化装置の支持構造を示す斜視図である。
【図３Ａ】本考案の支持スタンドが第１の位置にある状態を示す側面図である。
【図３Ｂ】本考案の支持スタンドが第２の位置にある状態を示す側面図である。
【図４】本考案の使用状態を示す斜視図である。
【図５】本考案の使用状態を示す斜視図である。
【考案を実施するための形態】
【００１６】
本考案の目的、特徴および効果を示す実施形態を図面に沿って詳細に説明する。
【００１７】
図１を参照する。図１は、本考案の一実施形態による紫外線硬化装置の支持構造を示す分解斜視図である。本考案の紫外線硬化装置の支持構造は、本体１、基板２及び支持スタンド３を含む。また、磁石４をさらに含んでもよい。本体１は、ケーシング１１、上蓋１２、ベース１３及びボタン１４から構成される。
【００１８】
ケーシング１１は、マウスに類似する形状に成形される。ケーシング１１の中間部には、凹状の空間１１１が形成される。空間１１１は、矩形に成形され、単４電池５を３つ装着することができる。空間１１１の単４電池５が装着される両端には、金属板１１２がそれぞれ設置され、電池５からの電力を基板２へと伝達する。ここで、本実施形態においては、３つの単４電池によって電力を供給するが、他の電池でもよい。ただし、電池の形状に対応してケーシング１１の空間１１１を変更する必要がある。ケーシング１１の電池５が設置される空間１１１付近には、ケーシング孔１１４が形成され、ボタン１４を通過させることができる。また、ケーシング１１の端部には、電力供給孔１１３が選択的に形成される。ケーシング１１の上端面の辺縁には、上蓋１２と係合可能な構造が形成される。また、ケーシング１１の下端面の辺縁には、ベース１３と係合可能な構造が形成される。
【００１９】
上蓋１２は、ケーシング１１の上端面の形状に対応して成形される。本実施形態中、上蓋１２は、マウスの蓋に類似する形状に成形される。また、上蓋１２は、ケーシング１１の上端面に対応して成形されることにより、ケーシング１１の上端面に係合することができる。また、上蓋１２のケーシング孔１１４に対応する部分には、上孔１２１が設けられ、ボタン１４を貫設することができる。
【００２０】
ベース１３は、ケーシング１１の下端面に対応して成形される。本実施形態中、ベース１３は、楕円形の平板に類似する形状に成形される上、外縁は、係合溝上に成形される。これにより、ベース１３をケーシング１１の下端面に係合することができる。また、ベース１３には、複数の孔１３１が設けられることにより、光源均一化構造が形成される。本実施形態中、複数の孔１３１は、矩形であるが、他の形状の孔でもよい。また、ベース１３の長手側辺には、円形の底孔１３２が設けられる。また、ベース１３底部の短手側辺付近には、枢着台１３３（図示せず）が形成される。
【００２１】
基板２は、プリント基板（ＰＣＢ）である。基板２の外観は、ベース１３と同様である。基板２は、ケーシング１１とベース１３との間に設置される。基板２の底孔１３２に対応する部分には、円形の基板孔２３が設けられる。基板２は、ケーシング１１に対向する平面が第１面であり、ベース１３に対向する平面が第２面である。基板２の第１面には、スイッチ２１が設置される上、電力供給装置２２が選択的に設置される。スイッチ２１及び電力供給装置２２は、基板２と電気的に接続される。基板２の第２面には、紫外線ＬＥＤ（図示せず）が設置される。紫外線ＬＥＤは、基板２と電気的に接続される。
【００２２】
ボタン１４は、スイッチ２１上に設置される。ボタン１４は、ケーシング１１と上蓋１２とが結合される際、ケーシング孔１１４及び上孔１２１に貫設される。ボタン１４の底縁には、突出部が成形される。突出部の投影面積は、ケーシング孔１１４より大きいため、ボタン１４がケーシング孔１１４から脱落するのを防止することができる。
【００２３】
磁石４は、円形であり、同じく円形である基板孔２３及び底孔１３２を通過する上、ケーシング１１に結合される。ここで、磁石４の結合方式は、粘着又はケーシング１１の磁石４を設置したい部位に磁石に吸引される物質を設置する方式である。これにより、磁石４は、磁石に吸引される物質を吸引するため、脱落するのが防止される。ここで、本実施形態中、磁石４、底孔１３２及び基板孔２３は、円形であるが、他の形状でもよい。
【００２４】
支持スタンド３の材料は、磁石に吸引される金属であり、外観は、略コ形に成形される。支持スタンド３の両端辺は、外部に延伸し、枢着端３１が形成される。枢着端３１は、ベース１３の２つの枢着台１３３に枢着結合される。
【００２５】
本考案の紫外線硬化装置を組み立てる際、３つの単４電池５を空間１１１に装着する上、ケーシング１１をケーシング１１の上端面に係合し、ボタン１４をケーシング孔１１４及び上孔１２１に貫設する。また、基板２をケーシング１１の下端面に装着し、電力供給装置２２を電力供給孔１１３に位置合わせする上、スイッチ２１をボタン１４に位置合わせする。また、ベース１３をケーシング１１の下端面に係合することにより、基板２をケーシング１１とベース１３との間に設置する。次に、４つのねじをベース１３、基板２に通過させる上、ケーシング１１に固定する。また、磁石４を基板孔２３及び底孔１３２に通過させる上、ケーシング１１に結合する。次に、４つのねじにねじ蓋で蓋をする。最後に、支持スタンド３をベース１３に枢着する。これにより、図２に示すように、外観がマウスに類似する本考案の紫外線硬化装置が組み立てられる。ここで、本実施形態中、ねじで固定する方式により、ベース１３とケーシング１１とが結合されるが、他の手段により、両者を固定してもよい。
【００２６】
本考案は、電力供給ユニットの電池５により、電力を供給している。ここで、電池５は、単４電池のみに限定されない。しかし、他の形状の電池を使用する場合、電池を収容できるようにするために、空間１１１及び金属板１１２の形状を変更する必要がある。また、電池５の種類は、アルカリ電池のみに限定されず、充電電池でもよい。充電電池を使用する場合、ＵＳＢプラグを本体１に接続することにより、充電電池に充電を行うことができる。
【００２７】
本考案は、電力供給装置２２を介して電力を供給してもよい。電力供給装置２２は、ＵＳＢ（これのみに限定されない）であり、ＵＳＢプラグの一方の端部を電力供給装置２２に挿入し、ＵＳＢプラグの他方の端部を電源に挿入することにより、本体１に電力を供給することができる。ＵＳＢに供給される電源は、５Ｖ電圧の変圧器、ノートブック型パソコン（５Ｖ）、デスクトップ型パソコン（５Ｖ）、一般の携帯型電源（５Ｖ）、車用変圧器（５Ｖ）などである。ここで、上述の方式のほか、他の方式により、電力を供給してもよい。
【００２８】
図３Ａを参照する。図３Ａに示すように、支持スタンド３が磁石４によって吸引された際の位置が第１の位置である。支持スタンド３が枢着台１３３を支点として外側に９０度開いた際の位置が第２の位置である（図３Ｂ参照）。
【００２９】
図４を参照する。図４に示すように、支持スタンド３を第２の位置まで回転させ、ボタン１２を押圧すると、内部のスイッチ１２が基板２上の紫外線ＬＥＤを起動する。また、ベース１３上の複数の孔１３１により、紫外線ＬＥＤからの紫外線光が均一に分散され、支持スタンド３とベース３との間の空間において、紫外線硬化性樹脂が塗布された手の爪に紫外線光が照射される。所定時間が経過すると、紫外線硬化性樹脂の硬化工程が完了し、手の爪上に保護膜が形成される。ここで、図４中においては、紫外線硬化性樹脂が塗布された手の爪が例示されるが、本考案は、紫外線硬化性樹脂が塗布された足の爪に応用してもよい。即ち、上述の方式により、図４中の手が置かれる空間に足を置き、足の爪に塗布された紫外線硬化性樹脂を硬化させることもできる。
【００３０】
図５を参照する。図５に示すように、本考案は、従来技術と同様に、本体１を手で持って紫外線光を足の爪に照射し、足の爪上に塗布された紫外線硬化性樹脂を硬化させることができる。また、同様にして、手の爪上に塗布された紫外線硬化性樹脂に紫外線光を照射して硬化させることができる。手で持って使用している最中に手が疲れた場合、図４に示す方式で、支持スタンド３を第２の位置まで回転させ、硬化工程を実施することができる。即ち、２つの方法を使用することができるため、利便性が高い。
【００３１】
本考案の電力供給は、電池、ＵＳＢプラグなど、各種の方式を使用することができる。また、本考案の使用方式は、手で持って使用したり、支持スタンド３で本体１を傾斜支持したり、することができるため、使用上の利便性が極めて高く、様々な状況において、手や足の爪上の紫外線硬化性樹脂を硬化させ、ネイルアートを保護する目的を簡単に実現することができる。
【００３２】
以上の実施例による本考案の詳細な説明は本考案の範囲を制限するものではない。本技術に熟知する者が、本考案の範囲内にて行う変更や調整を行っても、本考案の重要な意義は失われず、本考案の範囲に含まれる。
【符号の説明】
【００３３】
１  本体
１１  ケーシング
１１１  空間
１１２  金属板
１１３  電力供給孔
１１４  ケーシング孔
１２  上蓋
１２１  上孔
１３  ベース
１３１  孔
１３２  底孔
１３３  枢着台
１４  ボタン
２  基板
２１  スイッチ
２２  電力供給装置
２３  基板孔
３  支持スタンド
３１  枢着端
４  磁石
５  電池
【図１】
0003180139.tif 000003
【図２】
0003180139.tif 000004
【図３Ａ】
0003180139.tif 000005
【図３Ｂ】
0003180139.tif 000006
【図４】
0003180139.tif 000007
【図５】
0003180139.tif 000008